(57)【要約】【課題】旧型の遊技媒体貸出装置を使用しつつ、あるいは旧型の遊技媒体貸出装置及び旧型の遊技装置を使用しつつ、遊技媒体貸出装置と遊技装置との間における情報伝送のセキュリティを高めることができるアダプタ装置などを提供する。【解決手段】第１符号化形式で符号化された情報を処理する遊技媒体貸出装置または遊技装置に脱着可能に接続される第１端子と、第２符号化形式で符号化された情報を伝送する有線通信媒体に脱着可能または脱着不可能に接続される第２端子と、前記第１端子に入力された第１符号化形式で符号化されている情報を第２符号化形式で符号化された情報に変換し前記第２端子に出力するとともに、前記第２端子に入力された第２符号化形式で符号化されている情報を第１符号化形式で符号化された情報に変換し前記第１端子に出力する制御部と、を備えたアダプタ装置。【選択図】図１
2016097212.tif 000002
【特許請求の範囲】
【請求項１】
第１符号化形式で符号化された情報を処理する遊技媒体貸出装置または遊技装置に脱着可能に接続される第１端子と、
第２符号化形式で符号化された情報を伝送する有線通信媒体に脱着可能または脱着不可能に接続される第２端子と、
前記第１端子に入力された第１符号化形式で符号化されている情報を第２符号化形式で符号化された情報に変換し前記第２端子に出力するとともに、前記第２端子に入力された第２符号化形式で符号化されている情報を第１符号化形式で符号化された情報に変換し前記第１端子に出力する制御部と、
を備えたことを特徴とするアダプタ装置。
【請求項２】
前記第１符号化形式は、一の情報に１つのビットを割り当てる符号化形式であり、
前記第２符号化形式は、一の情報に複数のビットを割り当てる符号化形式である、
ことを特徴とする請求項１に記載のアダプタ装置。
【請求項３】
前記制御部から出力された第２符号化形式で符号化されている情報を暗号化し前記有線通信媒体へ出力するとともに、前記有線通信媒体から入力された第２符号化形式で符号化された情報を復号化し前記制御部へ出力する暗復号処理部を備えたことを特徴とする請求項１または２に記載のアダプタ装置。
【請求項４】
少なくとも１つの暗号方式を記憶する暗号方式記憶部を備え、
前記暗復号処理部は前記暗号方式記憶部に記憶されている暗号方式に従って暗復号処理を行う、
ことを特徴とする請求項３に記載のアダプタ装置。
【請求項５】
複数の暗号鍵を記憶する暗号鍵記憶部を備え、
前記暗復号処理部は、
特定の暗号鍵を使用して暗復号処理を行う場合、
前記暗号鍵記憶部から前記特定の暗号鍵を読み出し、前記読み出した暗号鍵を用いて前記制御部から出力された第２符号化形式で符号化されている情報を暗号化するとともに、前記有線通信媒体へ出力するにあたり、前記暗号化に用いた暗号鍵の暗号鍵識別番号を前記有線通信媒体に出力し、且つ、
前記有線通信媒体から入力された第２符号化形式で符号化された情報を復号化するにあたり、前記有線通信媒体を介して通知された暗号鍵識別番号に対応する暗号鍵を前記暗号鍵記憶部から読み出し、前記読み出した暗号鍵を用いて復号する、
ことを特徴とする請求項３または４に記載のアダプタ装置。
【請求項６】
前記第１端子、前記第２端子、前記制御部、及び前記暗復号処理部が実装される第１プリント配線基板と、
前記暗号方式記憶部が実装される第２プリント配線基板と、を備え、
前記第２プリント配線基板は前記第１プリント配線基板に脱着可能に接続されることを特徴とする請求項４または５に記載のアダプタ装置。
【請求項７】
前記第１端子、前記第２端子、前記制御部、及び前記暗復号処理部が実装される第１プリント配線基板と、
前記暗号鍵記憶部が実装される第２プリント配線基板と、を備え、
前記第２プリント配線基板は前記第１プリント配線基板に脱着可能に接続されることを特徴とする請求項５または６に記載のアダプタ装置。
【請求項８】
前記第１端子の脱着相手に対する接続を機械的にロックする機構を備えたことを特徴とする請求項１から７のいずれか１項に記載のアダプタ装置。
【請求項９】
前記第１端子が脱着相手から外れたことを検知する検知部と、
少なくとも前記検知部に電力を供給する電池部と、
を備えたことを特徴とする請求項１から８のいずれか１項に記載のアダプタ装置。
【請求項１０】
第１符号化形式で符号化された情報を処理する遊技媒体貸出装置と、
前記遊技媒体貸出装置に接続された請求項１から９のいずれか１項に記載のアダプタ装置と、
第２符号化形式で符号化された情報を処理する遊技装置と、
前記遊技媒体貸出装置に接続されたアダプタ装置と前記遊技装置を接続する有線通信媒体と、
を備えたことを特徴とする遊技システム。
【請求項１１】
第１符号化形式で符号化された情報を処理する遊技媒体貸出装置と、
第１符号化形式で符号化された情報を処理する遊技装置と、
前記遊技媒体貸出装置に接続された請求項１から９のいずれか１項に記載のアダプタ装置と、
前記遊技装置に接続された請求項１から９のいずれか１項に記載のアダプタ装置と、
前記遊技媒体貸出装置に接続されたアダプタ装置と前記遊技装置に接続されたアダプタ装置を接続する有線通信媒体と、
を備えたことを特徴とする遊技システム。
【発明の詳細な説明】
【技術分野】
【０００１】
本発明は、アダプタ装置及びこれを用いた遊技システムに関する。
【背景技術】
【０００２】
遊技媒体貸出装置と遊技装置との間では、玉貸要求信号、玉貸準備信号、玉貸指令信号、及び玉貸完了信号などの各種の信号がやりとりされている（特許文献１参照）。しかるに、これら各種の信号が不正に操作されると、遊技媒体を不正に獲得するなどの行為が可能とされてしまう。そこで、従来、遊技媒体貸出装置と遊技装置との間でやりとりされる各種の信号を暗号化する方法が提案された（特許文献２参照）。
【先行技術文献】
【特許文献】
【０００３】
【特許文献１】特許第２９３５９９０号
【特許文献２】特開２０１１−８３３０９号公報
【発明の概要】
【発明が解決しようとする課題】
【０００４】
しかしながら、上記従来の方法によると、暗号化機能を備える新型の遊技媒体貸出装置と新型の遊技装置とをそれぞれ新たに購入しなければならなくなるため、遊技ホールに対して過大なコストと時間を強いることになる。特に、遊技媒体貸出装置は遊技装置とは異なり製品寿命が長く、旧型の遊技媒体貸出装置のうち多くのものは本件特許出願時においてまだ製品寿命が到来していない。したがって、これらを暗号化のためだけに買い換えることはコストとの関係で合理的ではない。
【０００５】
そこで、本発明は、旧型の遊技媒体貸出装置を使用しつつ、あるいは旧型の遊技媒体貸出装置及び旧型の遊技装置を使用しつつ、遊技媒体貸出装置と遊技装置との間における情報伝送のセキュリティを高めることができるアダプタ装置及びこれを用いた遊技システムを提供することを目的とする。
【課題を解決するための手段】
【０００６】
本発明によれば、上記課題は、例えば、次の手段により解決される。
【０００７】
第１符号化形式で符号化された情報を処理する遊技媒体貸出装置又は遊技装置に脱着可能に接続される第１端子と、第２符号化形式で符号化された情報を伝送する有線通信媒体に脱着可能または脱着不可能に接続される第２端子と、前記第１端子に入力された第１符号化形式で符号化されている情報を第２符号化形式で符号化された情報に変換し前記第２端子に出力するとともに、前記第２端子に入力された第２符号化形式で符号化されている情報を第１符号化形式で符号化された情報に変換し前記第１端子に出力する制御部と、を備えたことを特徴とするアダプタ装置。
【０００８】
第１符号化形式で符号化された情報を処理する遊技媒体貸出装置と、遊技媒体貸出装置に接続された上記アダプタ装置と、第２符号化形式で符号化された情報を処理する遊技装置と、遊技媒体貸出装置に接続された上記アダプタ装置と前記遊技装置を接続する有線通信媒体と、を備えたことを特徴とする遊技システム。
【０００９】
第１符号化形式で符号化された情報を処理する遊技媒体貸出装置と、第１符号化形式で符号化された情報を処理する遊技装置と、遊技媒体貸出装置に接続された上記アダプタ装置と、遊技装置に接続された上記アダプタ装置と、遊技媒体貸出装置に接続された上記アダプタ装置と遊技装置に接続された上記アダプタ装置を接続する有線通信媒体と、を備えたことを特徴とする遊技システム。
【発明の効果】
【００１０】
本発明によれば、旧型の遊技媒体貸出装置を使用しつつ、あるいは旧型の遊技媒体貸出装置及び旧型の遊技装置を使用しつつ、遊技媒体貸出装置と遊技装置との間における情報伝送のセキュリティを高めることができる。したがって、これらの間における情報伝送のセキュリティを高めるためだけに、遊技媒体貸出装置を買い替えたり、あるいは遊技媒体貸出装置及び遊技装置の双方を買い替えたりする必要がなくなり、遊技ホールの経済的及び時間的な負担を大幅に軽減させることができる。
【図面の簡単な説明】
【００１１】
【図１】本発明の実施形態１に係る遊技システムを示すブロック図である。
【図２】本発明の実施形態２に係る遊技システムを示すブロック図である。
【図３】本発明の実施形態３に係る遊技システムを示すブロック図である。
【図４】本発明の実施形態４に係る遊技システムを示すブロック図である。
【発明を実施するための形態】
【００１２】
［本発明の実施形態１に係る遊技システム］
図１は本発明の実施形態１に係る遊技システムを示すブロック図である。図１に示すように、本発明の実施形態１に係る遊技システムは、第１符号化形式で符号化された情報を処理する遊技媒体貸出装置１０と、遊技媒体貸出装置１０に接続されたアダプタ装置２０と、第２符号化形式で符号化された情報を処理する遊技装置３０と、遊技媒体貸出装置１０に接続されたアダプタ装置２０と遊技装置３０を接続する有線通信媒体４０と、を備えた遊技システムである。遊技媒体貸出装置１０は、遊技装置３０に併設され（例えば遊技装置３０の直ぐ横に設置され）、遊技者の指示などに応じて、遊技装置３０に対し玉貸指令信号などの各種の信号を出力する。遊技装置３０にはパチンコ機やスロットマシンなどが含まれる。
【００１３】
一般に、暗号化機能を備えていない旧型の遊技媒体貸出装置と暗号化機能を備えている新型の遊技装置とでは、装置内部における情報の符号化形式が異なっている。したがって、従来は、新型の遊技装置の符号化形式に対応した新型の遊技媒体貸出装置を購入しない限り、新型の遊技装置が備えている暗号化機能を利用することができなかった。しかしながら、本実施形態によれば、アダプタ装置２０により、旧型の遊技媒体貸出装置１０に入出力される情報の符号化形式を、新型の遊技装置３０で使用される情報の符号化形式に変換することができる。よって、本実施形態によれば、旧型の遊技媒体貸出装置１０を使用しつつ、新型の遊技装置３０が備えている暗号化機能を利用して、遊技媒体貸出装置１０と遊技装置３０との間における情報伝送のセキュリティを高めることができる。
【００１４】
以下、詳細に説明する。
【００１５】
（遊技媒体貸出装置１０、遊技装置３０）
遊技媒体貸出装置１０は暗号化機能を備えていない旧型の遊技媒体貸出装置であり、遊技装置３０は暗号化機能を備えている新型の遊技装置である。遊技媒体貸出装置１０が第１符号化形式で符号化された情報を処理するよう動作するのに対し、遊技装置３０は第２符号化形式で符号化された情報を処理するよう動作する。
【００１６】
（プリント配線基板２４、筐体）
アダプタ装置２０は、例えば、各種の電子部品が実装されたプリント配線基板２４を備えている。プリント配線基板２４は、プリント配線基板２４に対する不正な操作を防止するため、例えば、錠前などにより機械的にロック可能な筐体（図示せず）に収容されていることが好ましい。
【００１７】
（第１端子２１）
アダプタ装置２０は、第１符号化形式で符号化された情報を処理する遊技媒体貸出装置１０に脱着可能に接続される第１端子２１を備えている。第１符号化形式は、旧型の遊技媒体貸出装置で使用される情報の符号化形式であり、例えば一の情報に１つのビット（１または０）を割り当てる符号化形式とされる。第１端子２１は、遊技媒体貸出装置１０の外部端子１１に応じた形状や大きさを有しており、遊技媒体貸出装置１０の外部端子１１に脱着可能に接続される。なお、アダプタ装置２０の第１端子２１を遊技媒体貸出装置１０の外部端子１１に簡単に接続できるよう、第１端子２１はアダプタ装置２０（筐体）の外部に設けられていることが好ましい。
【００１８】
第１端子２１の数は１以上であればよく、アダプタ装置２０は複数の第１端子２１を備えていてもよい。なお、アダプタ装置２０がＤ−Ｓｕｂ２５ピンなどのパラレル端子を備える場合には、パラレル端子全体が１つの第１端子２１に該当するのではなく、パラレル端子が有する各ピンが第１端子２１にそれぞれ該当し、各ピンにより第１符号化形式で符号化された複数の情報がパラレルに伝送されるものとする。この場合、制御部２３は、例えば、パラレル端子が有する複数のピンの全部または一部から出力された第１符号化形式で符号化されている複数の情報を第２符号化形式で符号化された情報にそれぞれ変換し第２端子２２に時分割で出力する。また、制御部２３は、例えば、第２端子２２に時分割で入力された第２符号化形式で符号化されている複数の情報を第１符号化形式で符号化された情報にそれぞれ変換し、パラレル端子が有するピンの全部または一部に時分割で出力する。
【００１９】
（第２端子２２）
アダプタ装置２０は、第２符号化形式で符号化された情報を伝送する有線通信媒体４０に脱着可能または脱着不可能に接続される第２端子２２を備えている。有線通信媒体４０は例えばＵＳＢケーブルなどである。第２符号化形式は、暗号化機能を備えた新型の遊技装置３０で使用される情報の符号化形式であり、例えば一の情報に複数のビット（例：１１、１０、０１、または００）を割り当てる符号化形式とされる。第２端子２２の形状や大きさは特に限定されるものではないが、有線通信媒体４０としてＵＳＢケーブルを用いる場合は、ＵＳＢコネクタが第２端子２２の一例となる。なお、第２端子２２は、有線通信媒体４０に対して、コネクタ等を用いて脱着可能に接続されてもよいが、半田付けなどにより脱着不可能に接続されてもよい。この場合は、図１に示すとおり、有線通信媒体４０が不正にアダプタ装置２０から外されることを防止するため、第２端子２２をアダプタ装置２０（筐体）の内部に設けることが好ましい。なお、遊技装置３０には、有線通信媒体４０の大きさ・形状に応じた端子３１が設けられており、有線通信媒体４０は、遊技装置３０が備える端子３１に脱着可能または脱着不可能に接続される。遊技装置３０が備える端子３１は、有線通信媒体４０が不正に遊技装置３０から外されることを防止するため、遊技装置３０の内部に設けられていることが好ましい。
【００２０】
（制御部２３）
アダプタ装置２０は、第１端子２１に入力された第１符号化形式で符号化されている情報（例：１または０）を第２符号化形式で符号化された情報（例：１１、１０、０１、または００）に変換し第２端子２２に出力するとともに、第２端子２２に入力された第２符号化形式で符号化されている情報（例：１１、１０、０１、または００）を第１符号化形式で符号化された情報（例：１または０）に変換し第１端子２１に出力する制御部２３を備えている。この制御部２３により、旧型の遊技媒体貸出装置１０に入出力される情報の符号化形式が、新型の遊技装置３０で使用される情報の符号化形式に変換される。制御部２３は、例えば、ＣＰＵとして機能するＩＣチップ、ＲＡＭ、及びＲＯＭなどを備えており、制御部２３による処理は、これらＩＣチップ、ＲＡＭ、及びＲＯＭなどが連携して動作することにより実現される。ＩＣチップ、ＲＡＭ、及びＲＯＭなどは、例えば、上述したプリント配線基板２４に実装される。
【００２１】
（暗復号処理部２５）
アダプタ装置２０は、制御部２３から出力された第２符号化形式で符号化されている情報を暗号化して有線通信媒体４０へ出力するとともに、有線通信媒体４０から入力された第２符号化形式で符号化された情報を復号化し制御部２３へ出力する暗復号処理部２５を備えていてもよい。上記のとおり、従来であれば、暗号化機能を備えていない旧型の遊技媒体貸出装置１０では、新型の遊技装置３０が備える暗号化機能を利用することができなかったが、アダプタ装置２０に暗復号処理部２５を設ければ、旧型の遊技媒体貸出装置１０を使用しつつ、新型の遊技装置３０が備えている暗号化機能を利用することができる。なお、暗復号処理部２５には、例えばＩＣチップなどが用いられる。暗復号処理部２５は、例えば、第１端子２１、第２端子２２、及び制御部２３を実装するプリント配線基板２４に実装される。
【００２２】
（暗号方式記憶部２７）
アダプタ装置２０は、少なくとも１つの暗号方式を記憶する暗号方式記憶部２７を備えていてもよい。この場合、暗復号処理部２５は、暗号方式記憶部２７に記憶されている暗号方式に従って暗復号処理を行う。暗号方式記憶部２７には例えばＲＯＭなどのメモリが用いられる。
【００２３】
暗号方式とは、暗復号処理部２５にて使用される暗復号のアルゴリズムであり、暗復号処理部２５は、通知された暗号方式（アルゴリズム）に従って動作する。暗号方式の種類は特に限定されるものではないが、例えば、暗号鍵を用いない方式（例：換字式暗号方式、転置式暗号方式）や暗号鍵を用いる方式（例：共通鍵暗号方式、公開鍵暗号方式）などは暗号方式の一例である。
【００２４】
（暗号鍵記憶部２８）
アダプタ装置２０は、複数の暗号鍵を記憶する暗号鍵記憶部２８を備えていてもよい。この場合、暗復号処理部２５は、特定の暗号鍵を使用して暗復号処理を行う場合、暗号鍵記憶部２８から特定の暗号鍵を読み出し、この読み出した暗号鍵を用いて制御部２３から出力された第２符号化形式で符号化されている情報を暗号化するとともに、有線通信媒体４０へ出力するにあたり、暗号化に用いた暗号鍵の暗号鍵識別番号を有線通信媒体４０に出力し、且つ、有線通信媒体４０から入力された第２符号化形式で符号化された情報を復号化するにあたり、有線通信媒体４０を介して通知された暗号鍵識別番号に対応する暗号鍵を暗号鍵記憶部２８から読み出し、この読み出した暗号鍵を用いて復号する。このようにすれば、適切な間隔で（例えば、１時間ごと、１日ごと）、第２符号化形式で符号化された情報の暗号鍵を変えることができるため、第２符号化形式で符号化された情報に対する不正な操作がより困難になる。なお、暗号鍵の種類は特に限定されるものではないが、秘密鍵は暗号鍵の一例である。暗号鍵記憶部２８には例えばＲＯＭなどのメモリが用いられる。
【００２５】
（ロックする機構）
第１端子２１は、第１端子２１の脱着相手に対する接続を機械的にロックする機構（図示せず）を備えてもよい。第１符号化形式は例えば一の情報に１つのビット（１または０）を割り当てる符号化形式であり、第１符号化形式で符号化された情報は例えば１または０という１ビットからなる。したがって、第１符号化形式で符号化された情報は比較的不正に操作されやすい。しかしながら、上記のロックする機構を第１端子２１に設ければ、第１端子２１を脱着相手から取り外すことが困難になるため、第１符号化形式で符号化された情報を不正に操作することが困難になる。なお、ロックする機構の具体的な形態は特に限定されるものではないが、錠前などはロックする機構の一例である。
【００２６】
（検知部、電池部）
アダプタ装置２０は、第１端子２１が脱着相手から外れたことを検知する検知部（図示せず）と、少なくとも検知部に電力を供給する電池部（図示せず）と、を備えていてもよい。上記のとおり、第１符号化形式で符号化された情報は比較的不正に操作されやすいが、検知部によれば、第１端子２１が脱着相手から外れたことを検知することができるため、第１符号化形式で符号化された情報に対して不正な操作が行なわれようとしている場合に警報を発したり、また、第１符号化形式で符号化された情報に対して不正な操作が行われたことを事後的に追跡したりすることができる。なお、アダプタ装置２０が備える各部材は商用電源で動作している。しかしながら、上記した電池部をアダプタ装置２０に設ければ、商用電源からの電力供給が遮断されている間であっても、検知部の動作を継続させることができる。
【００２７】
検知部の具体的な形状は特に限定されるものではないが、音や光を用いた警報装置や接続が外れたことを電子的に記録する装置などは検知部の一例である。また、電池部の具体的な形状は特に限定されるものではないが、蓄電池や乾電池などは電池部の一例である。なお、電池部は、検知部のみに電力を供給してもよいが、アダプタ装置２０に実装されている検知部以外の電子部品に電力を供給してもよい。
【００２８】
なお、検知部と電池部は、例えば、プリント配線基板２４（第１プリント配線基板）に実装される。
【００２９】
以上説明したように、本発明の実施形態１に係る遊技システムによれば、アダプタ装置２０により、旧型の遊技媒体貸出装置１０に入出力される情報の符号化形式を、新型の遊技装置３０で使用される情報の符号化形式に変換することができる。したがって、本実施形態によれば、旧型の遊技媒体貸出装置１０を使用しつつ、新型の遊技装置３０が備えている暗号化機能を利用して、遊技媒体貸出装置１０と遊技装置３０との間における情報伝送のセキュリティを高めることができる。よって、遊技媒体貸出装置１０と遊技装置３０との間における情報伝送のセキュリティを高めるためだけに、遊技媒体貸出装置１０を買い替える必要がなくなり、遊技ホールの経済的及び時間的な負担を大幅に軽減させることができる。
【００３０】
［本発明の実施形態２に係る遊技システム］
図２は本発明の実施形態２に係る遊技システムを示すブロック図である。図２に示すように、本発明の実施形態２に係る遊技システムは、暗号方式記憶部２７と暗号鍵記憶部２８が、第１端子２１、第２端子２２、制御部２３、及び暗復号処理部２５が実装されるプリント配線基板２４（以下、「第１プリント配線基板２４」という）に脱着可能に接続される第１プリント配線基板２４とは別体のプリント配線基板２６（以下、「第２プリント配線基板２６」という）に実装される点で、暗号方式記憶部２７と暗号鍵記憶部２８が第１プリント配線基板２４に実装される本発明の実施形態１に係る遊技システムと相違する。実施形態２によれば、第２プリント配線基板２６を取り替えることにより、アダプタ装置２０の暗号方式や暗号鍵を変更することができるため、遊技装置３０で使用される暗号方式や暗号鍵の変更に迅速且つ安価に対応することが可能となり、遊技ホールの経済的及び時間的な負担をより軽減することができる。なお、図２においては、暗号方式記憶部２７と暗号鍵記憶部２８の双方が第２プリント配線基板２６に実装されるものとしたが、暗号方式記憶部２７と暗号鍵記憶部２８のいずれか一方のみが第２プリント配線基板２６に実装されてもよい。
【００３１】
［本発明の実施形態３に係る遊技システム］
図３は本発明の実施形態３に係る遊技システムを示すブロック図である。図３に示すように、本発明の実施形態３に係る遊技システムは、
・旧型の遊技装置６０を備える点、
・旧型の遊技装置６０にアダプタ装置５０が取り付けられる点、
・有線通信媒体４０が、遊技媒体貸出装置１０に接続されたアダプタ装置２０と遊技装置６０に接続されたアダプタ装置５０とを接続する点で、
新型の遊技装置３０を備えるためこれらの構成を備えない本発明の実施形態１に係る遊技システムと相違する。
【００３２】
本発明の実施形態３によれば、アダプタ装置２０により、旧型の遊技媒体貸出装置１０に入出力される情報の符号化形式を、実施形態１における新型の遊技装置３０で使用される情報の符号化形式と同様の新しい符号化形式に変換することができる。また、アダプタ装置５０により、旧型の遊技装置６０に入出力される情報の符号化形式を、実施形態１における新型の遊技装置３０で使用される情報の符号化形式と同様の新しい符号化形式に変換することができる。したがって、旧型の遊技媒体貸出装置１０及び旧型の遊技装置６０を使用しつつ、実施形態１における新型の遊技装置３０が備えている暗号化機能と同様に暗号化機能を利用して、遊技媒体貸出装置１０と遊技装置６０との間における情報伝送のセキュリティを高めることができる。よって、遊技媒体貸出装置１０と遊技装置６０との間における情報伝送のセキュリティを高めるためだけに、遊技媒体貸出装置１０及び遊技装置６０の双方を買い替える必要がなくなり、遊技ホールの経済的及び時間的な負担を大幅に軽減させることができる。
【００３３】
以下、実施形態１と異なる点を中心に実施形態３について説明を行う。
【００３４】
（遊技媒体貸出装置１０、遊技装置６０）
遊技媒体貸出装置１０は暗号化機能を備えていない旧型の遊技媒体貸出装置であり、遊技装置６０は暗号化機能を備えていない旧型の遊技装置である。遊技媒体貸出装置１０と遊技装置６０は、ともに、第１符号化形式で符号化された情報を処理するよう動作する。
【００３５】
（アダプタ装置５０）
アダプタ装置５０はアダプタ装置２０と基本的には同じ構成を有している。具体的には、アダプタ装置５０の第１端子５１、第２端子５２、制御部５３、プリント配線基板５４、暗復号処理部５５、暗号方式記憶部５７、及び暗号鍵記憶部５８は、それぞれ、アダプタ装置２０の第１端子２１、第２端子２２、制御部２３、プリント配線基板２４、暗復号処理部２５、暗号方式記憶部２７、及び暗号鍵記憶部２８に対応し、これらの対応する構成と同様に動作する。ただし、アダプタ装置２０の第１端子２１が旧型の遊技媒体貸出装置１０の外部端子１１に接続されるのに対し、アダプタ装置５０の第１端子５１は旧型の遊技装置６０の外部端子６１に接続される。
【００３６】
［本発明の実施形態４に係る遊技システム］
図４は本発明の実施形態４に係る遊技システムを示すブロック図である。図４に示すように、本発明の実施形態４に係る遊技システムは、
・暗号方式記憶部２７と暗号鍵記憶部２８が第１プリント配線基板２４に脱着可能に接続される第１プリント配線基板２４とは別体の第２プリント配線基板２６に実装される点、
・暗号方式記憶部５７と暗号鍵記憶部５８が、第１端子５１、第２端子５２、制御部５３、及び暗復号処理部５５が実装されるプリント配線基板５４（以下、「第３プリント配線基板５４」という）に脱着可能に接続される第３プリント配線基板５４とは別体のプリント配線基板５６（以下、「第４プリント配線基板５６」という）に実装される点で、
暗号方式記憶部２７と暗号鍵記憶部２８が第１プリント配線基板２４に実装されるとともに暗号方式記憶部５７と暗号鍵記憶部５８が第３プリント配線基板５４に実装される本発明の実施形態３に係る遊技システムと相違する。実施形態４によれば、第２プリント配線基板２６や第４プリント配線基板５６を取り替えることにより、アダプタ装置２０やアダプタ装置５０の暗号方式や暗号鍵を変更することができるため、実施形態３における新型の遊技装置３０で使用される暗号方式や暗号鍵の変更に迅速且つ安価に対応することが可能となり、遊技ホールの経済的及び時間的な負担をより軽減することができる。なお、図４においては、暗号方式記憶部２７と暗号鍵記憶部２８の双方が第２プリント配線基板２６に実装されるものとし、暗号方式記憶部５７と暗号鍵記憶部５８の双方が第４プリント配線基板５６に実装されるものとしたが、暗号方式記憶部２７と暗号鍵記憶部２８のいずれか一方のみが第２プリント配線基板２６に実装されてもよいし、暗号方式記憶部５７と暗号鍵記憶部５８のいずれか一方のみが第４プリント配線基板５６に実装されてもよい。
【００３７】
以上、実施形態について説明したが、これらの説明は一例に関するものであり、本発明を何ら限定するものではない。
【符号の説明】
【００３８】
１０    旧型の遊技媒体貸出装置
１１    旧型の遊技媒体貸出装置が備える端子
２０    アダプタ装置
２１    第１端子
２２    第２端子
２３    制御部
２４    プリント配線基板（第１プリント配線基板）
２５    暗復号処理部
２６    プリント配線基板（第２プリント配線基板）
２７    暗号方式記憶部
２８    暗号鍵記憶部
３０    新型の遊技装置
３１    新型の遊技装置が備える端子
４０    有線通信媒体
５０    アダプタ装置
５１    第１端子
５２    第２端子
５３    制御部
５４    プリント配線基板（第３プリント配線基板）
５５    暗復号処理部
５６    プリント配線基板（第４プリント配線基板）
５７    暗号方式記憶部
５８    暗号鍵記憶部
６０    旧型の遊技装置
６１    旧型の遊技装置が備える端子
【図１】
2016097212.tif 000003
【図２】
2016097212.tif 000004
【図３】
2016097212.tif 000005
【図４】
2016097212.tif 000006